(57)【要約】【課題】【解決手段】第一の電極（７０２）と可動物質（７１４）の間にかけられた電圧でＭＥＭＳデバイスが電気的に動作される。第一の電極から離れているラッチ電極（７３０ａ、７３０ｂ）によってデバイスが動作状態に維持されうる。【選択図】
2009516350.tif 000002
【特許請求の範囲】
【請求項１】
基板と、
前記基板によって支持された少なくとも二つの支持ポストと、
前記基板によって支持され前記支持ポスト間に配置された少なくとも二つの電気的分離電極と、
前記支持ポストによって前記基板の上方に支持された可動電極と、
可動電極の位置に応じて選択可能に連結可能な少なくとも二つのスイッチ端子とを備えているＭＥＭＳデバイス。
【請求項２】
前記電極の一つが、前記少なくとも二つの支持ポスト間の中央領域に置かれている、請求項１のＭＥＭＳデバイス。
【請求項３】
前記電極の少なくとも一つが、前記中央領域と前記支持ポストの一つとの間で配置されている、請求項２のＭＥＭＳデバイス。
【請求項４】
前記電極の少なくとも一つが、前記スイッチ端子の一つと前記支持ポストの一つとの間に配置されている、請求項２のＭＥＭＳデバイス。
【請求項５】
前記デバイスの中央領域内の第一の電極と、前記第一の電極の一方の側にあり前記第一の電極から電気的に分離された少なくとも一つの第二の電極とを備えている、請求項１のＭＥＭＳデバイス。
【請求項６】
前記スイッチ端子が前記基板によって支持されている、請求項１のＭＥＭＳデバイス。
【請求項７】
前記可動電極が前記基板の近傍に配置されるときに前記スイッチ端子が連結される、請求項４のＭＥＭＳデバイス。
【請求項８】
ＭＥＭＳディスプレイ素子のアレイと、
前記アレイに接続された一つ以上のＭＥＭＳスイッチとを備え、前記ＭＥＭＳスイッチの少なくとも一つが、
基板と、
前記基板によって支持された少なくとも二つの支持ポストと、
前記基板によって支持され前記支持ポスト間に配置された少なくとも二つの電気的分離電極と、
前記支持ポストによって前記基板の上方に支持された可動電極と、
可動電極の位置に応じて選択可能に連結可能な少なくとも二つのスイッチ端子とを備えている、ディスプレーシステム。
【請求項９】
前記アレイに接続されたドライバー回路をさらに備えている請求項８のディスプレーシステム。
【請求項１０】
前記ディスプレイと電気的通信状態にあるプロセッサーで、画像データを処理するように構成された前記プロセッサーと、
前記プロセッサーと電気的通信状態にあるメモリーデバイスとをさらに備えている請求項８のディスプレーシステム。
【請求項１１】
前記ドライバー回路が、前記ディスプレイに少なくとも一つの信号を送るように構成されている、請求項９のデバイス。
【請求項１２】
前記ドライバー回路に前記画像データの少なくとも一部を送るように構成されたコントローラーをさらに備えている請求項１１のデバイス。
【請求項１３】
前記プロセッサーに前記画像データを送るように構成された像源モジュールをさらに備えている請求項１０のデバイス。
【請求項１４】
前記像源モジュールが、レシーバーとトランシーバーとトランスミッターの少なくとも一つを備えている、請求項１３のデバイス。
【請求項１５】
入力データを受け取り前記プロセッサーに前記入力データを通信するように構成された入力装置をさらに備えている請求項１０のデバイス。
【請求項１６】
第一の電極と第二の電極との間に第一の電圧を印加することにより可動素子を第一の位置から第二の位置に移動させることによりスイッチ動作を制御することと、
前記第一の電極と第三の電極との間に第二の電圧を印加することにより前記可動素子を前記第二の位置に維持することとを備えている、ＭＥＭＳスイッチを動作させる方法。
【請求項１７】
第二の電圧が前記第一の電圧より小さい、請求項１６の方法。
【請求項１８】
第一と第二の位置の間で移動可能な第一の電極と、
前記第一の電極の位置に基づいて選択可能に連結可能なスイッチ端子と、
前記可動電極を前記第一位置から前記第二位置に移動させるための手段と、
前記可動電極を前記第二位置に維持するための手段とを備え、前記維持するための手段が前記移動させるための手段から別々に制御可能である、ＭＥＭＳスイッチ。
【請求項１９】
前記移動手段が第一の電極を備えている、請求項１８のＭＥＭＳスイッチ。
【請求項２０】
前記維持する手段が第二の電極を備えている、請求項１８または１９のＭＥＭＳスイッチ。
【請求項２１】
基板上の一対の支持ポストの間に少なくとも第一と第二の電気的分離電極を形成することと、
スイッチ端子を形成することと、
前記支持ポスト上に可動電極を形成することとを備えている、ＭＥＭＳスイッチを作る方法。
【請求項２２】
前記第一の電極を前記ＭＥＭＳスイッチの中央領域に形成することを備えている請求項２１の方法。
【請求項２３】
前記中央領域と前記支持ポストとの間に少なくとも一つの第二の電極を形成することを備え、前記少なくとも一つの第二の電極が前記第一の電極から電気的に分離されている、請求項２２の方法。
【請求項２４】
請求項２１の方法で作られたＭＥＭＳスイッチ。
【発明の詳細な説明】
【技術分野】
【０００１】
この出願は、２００４年９月２７日に出願した「統合ＭＥＭＳ電気スイッチを備えた光干渉変調器アレイ」と題する米国仮出願６０／６１３，５０１号に対する優先権を請求する。それは、参照によってそのままここに組込まれる。
【０００２】
本発明の分野は微小電気機械システム（ＭＥＭＳ）に関する。
【背景技術】
【０００３】
微小電気機械システム（ＭＥＭＳ）はマイクロメカニカル素子とアクチュエーターと電子機器とを含んでいる。マイクロメカニカル素子は、基板および／または堆積物質層の一部をエッチング除去するか層を追加して電気デバイスや電気機械デバイスを形成する堆積およびまたはエッチング、ほかのマイクロマシーニングプロセスを用いて作製しうる。ＭＥＭＳデバイスの一つのタイプは光干渉変調器と呼ばれる。ここに使用する光干渉変調器や光干渉光変調器との用語は、光干渉の法則を使用して光を選択的に吸収および／または反射するデバイスを指す。ある実施形態では、光干渉変調器は一対の伝導プレートを備えていてもよく、その一方または両方は、全体または一部が透明および／または反射的であってもよく、適当な電気信号の印加に対して相対運動可能であってもよい。特定の実施形態では、一方のプレートが基板上に堆積された静止層を備えていてもよく、他方のプレートが空隙によって静止層から離れた金属膜を備えていてもよい。ここに詳細に説明するように、一方のプレートの他方に対する位置は、光干渉変調器への入射光の光干渉を変化させることができる。そのようなデバイスは広範囲の用途を有しており、既存製品を改善してまだ開発されていない新製品を作り出すのにそれらの特徴を利用できるようにこれらのタイプのデバイスの特性を利用および／または修正する技術分野にとって有益であろう。
【発明の開示】
【課題を解決するための手段】
【０００４】
本発明のシステム、方法およびデバイスのおのおのはいくつかの観点を有する。それらの単一の一つが単独でその好ましい性質の原因でない。本発明の要旨を制限することなく、そのより顕著な特徴を今簡潔に論じる。この議論を考慮した後、特に「発明を実施するための最良の形態」と題する章を読んだ後、本発明の特徴がどのようにほかの表示装置に対して利点を提供するかが理解できよう。
【０００５】
一実施形態では、本発明は、基板によって支持された少なくとも二つの支持ポストを持つ基板を備えたＭＥＭＳデバイスを含んでいる。デバイスはまた、基板によって支持され支持ポスト間に配置された少なくとも二つの電気的分離電極を含んでいる。デバイスはさらに、支持ポストによって基板の上方に支持された可動電極と、可動電極の位置に応じて選択可能に連結可能な少なくとも二つのスイッチ端子をさらに含んでいる。
【０００６】
別の実施形態では、本発明は、ＭＥＭＳスイッチを動作させる方法を含んでいる。その方法は、第一の電極と第二の電極との間に第一の電圧を印加することにより可動素子を第一位置から第二の位置に移動させることによりスイッチ動作を制御することを含んでいる。その方法はまた、第一の電極と第三の電極との間に第二の電圧を印加することにより可動素子を第二の位置に維持することを含んでいる。
【０００７】
別の実施形態では、ＭＥＭＳスイッチは、第一と第二の位置の間で移動可能な第一の電極と、可動電極の位置に基づいて選択可能に連結可能なスイッチ端子とを含んでいる。そのスイッチはまた、可動電極を第一の位置から第二に位置に移動させるための手段と、可動電極を第二の位置に維持するための手段とを含んでいる。維持するための手段は、移動させるための手段から別々に制御可能である。
【０００８】
別の実施形態では、本発明は、ＭＥＭＳスイッチを作る方法を備えている。その方法は、基板上の一対の支持ポストの間に少なくとも第一と第二の電気的分離電極を形成することと、スイッチ端子を形成することと、前記支持ポスト上に可動電極を形成することとを含んでいる。
【０００９】
別の実施形態では、ディスプレーシステムは、ＭＥＭＳディスプレイ素子のアレイアレイに接続された一つ以上のＭＥＭＳスイッチを備えている。ＭＥＭＳスイッチの少なくとも一つは、基板と、基板によって支持された少なくとも二つの支持ポストと、前記基板に支持され支持ポスト間に配置された少なくとも二つの電気的分離電極とを備えている。可動電極は支持ポストによって基板の上方に支持されており、また、可動電極の位置に応じて選択可能に連結可能な少なくとも二つのスイッチ端子が設けられている。
【発明を実施するための最良の形態】
【００１０】
続く詳細な説明は、本発明のある特定の実施形態に向けられている。しかしながら、本発明は多くの異なる手法で具体化することができる。この説明では、同様の部材は同様の符号で示す参照符号を図面に付す。続く説明から明らかように、実施形態は、動画（たとえばビデオ）か静止画（たとえばスチル画像）かを問わず、さらに文字か絵かを問わず、画像を表示するように構成されたあらゆるデバイスにおいて実施しうる。特に、実施形態は、これに限定されないが、移動電話や無線デバイス、パーソナルデジタルアシスタント（ＰＤＡ）、ハンドヘルドまたは携帯型コンピューター、ＧＰＳレシーバー／ナビゲーター、カメラ、ＭＰ３プレーヤー、カムコーダー、ゲーム機、腕時計、時計、計算機、テレビジョンモニター、フラットパネルディスプレイ、コンピューターモニター、自動ディスプレイ（たとえば走行記録計ディスプレイその他）、コックピットのコントロールやディスプレイ、カメラ視のディスプレイ（たとえば乗り物の背面カメラのディスプレイ）、電子写真、電子の広告板や標識、プロジェクター、建築物、パッケージング、美的構造物（たとえば一つの宝石の画像）など、いろいろな電子デバイスにおいて実施しうるか関連しうることが予想される。ここに説明したものと同様の構造体のＭＥＭＳデバイスは電子スイッチデバイスなどの非ディスプレイ用途において使用することもできる。
【００１１】
光干渉ＭＥＭＳディスプレイ素子を備えている一つの光干渉変調器ディスプレイ実施形態を図１に示す。これらのデバイスでは、画素は明暗状態のいずれかにある。明（「オン」または「開放」）状態では、ディスプレイ素子は、入射可視光の大部分をユーザーへ反射する。暗（「オフ」または「閉鎖」）状態では、ディスプレイ素子は、入射可視光をユーザーへほとんど反射しない。実施形態によっては、「オン」状態と「オフ」状態の光反射特性は逆であってもよい。ＭＥＭＳ画素は、白黒に加えてカラー表示を考慮し、特定の色で主に反射するように構成することが可能である。
【００１２】
図１は、視覚ディスプレイの一連の画素中の二つの隣接画素を描いた等角投影図であり、各画素はＭＥＭＳ光干渉変調器を備えている。いくつかの実施形態では、光干渉変調器ディスプレイは、これらの光干渉変調器の行／列アレイを備えている。各光干渉変調器は、互いに可変かつ制御可能な距離に位置する一対の反射層を含んでおり、少なくとも一つの可変次元をもつ共振光学キャビティを形成している。一実施形態では、一方の反射層が二つの位置の間で移動されうる。第一の位置（ここでは弛緩位置と呼ぶ）では、可動反射層は、固定部分反射層から比較的大きな距離に位置している。第二の位置（ここでは動作位置と呼ぶ）では、可動反射層は、固定部分反射層に隣接し密接して位置している。二つの層から反射する入射光は、可動反射層の位置に応じて強め合ってまたは弱め合って干渉し、各画素について全体反射状態または非反射状態のいずれかを作り出す。
【００１３】
図１の画素アレイの図示部分は二つの隣接する光干渉変調器１２ａと１２ｂを含んでいる。左側の光干渉変調器１２ａでは、可動反射層１４ａは光学スタック１６ａからの所定距離の弛緩位置に図示されており、光学スタック１６ａは部分的反射層を含んでいる。右側の光干渉変調器１２ｂでは、可動反射層１４ｂは光学スタック１６ｂに隣接する動作位置に図示されている。
【００１４】
光学スタック１６ａと１６ｂ（光学スタック１６と総称する）は、ここに参照するように、典型的にはいくつかの融合層からなり、それらは、インジウムスズ酸化物（ＩＴＯ）などの電極層、クロムなどの部分的反射層、透明誘電体を含みうる。したがって、光学スタック１６は、電気的に伝導性で、部分的に透明で、部分的に反射的であり、たとえば透明基板２０上に上記の層の一つ以上を堆積することにより作られうる。部分的反射層は、さまざまな金属、半導体および誘電体などの部分的に反射的であるいろいろな物質から形成することができる。
【００１５】
いくつかの実施形態では、光学スタックの層は平行ストリップにパターニングされ、後述するようにディスプレイデバイス中の行電極を形成しうる。可動反射層１４ａ，１４ｂは、ポスト１８の上面およびポスト１８間に堆積された介在犠牲物質の上に堆積された（行電極１６ａ，１６ｂに直交する）一つまたは複数の堆積金属層の一連の平行ストリップとして形成してもよい。犠牲物質をエッチング除去すると、可動反射層１４ａ，１４ｂが光学スタック１６ａ，１６ｂから規定間隙１９だけ離れる。アルミニウムなどの高伝導反射物質を反射層１４に使用してもよく、これらのストリップがディスプレイデバイスの列電極を形成してもよい。
【００１６】
印加電圧がないとき、図１の画素１２ａに示すように、可動反射層１４ａと光学スタック１６ａの間にキャビティ１９が残り、可動反射層１４ａは機械的弛緩状態にある。しかしながら、選択した行と列に電位差を印加すると、対応する画素の行電極と列電極の交差により形成されたコンデンサーがチャージされ、静電力が電極同士を引き寄せる。電圧が十分に高ければ、可動反射層１４が変形し、光学スタック１６に押し付けられる。図１の右側の画素１２ｂに示されるように、光学スタック１６内の（この図には示していない）誘電体層が短絡するのを防止するとともに層１４と層１６の間の分離距離を制御しうる。その振る舞いは印加電位差の極性にかかわらず同じである。このように、反射対非反射画素状態を制御することができる行／列動作は、従来のＬＣＤやほかのディスプレイ技術で使用される行／列動作に多くの点で類似している。
【００１７】
図２〜５は、表示用途の光干渉変調器のアレイを使用するための一つの代表的なプロセスとシステムを示している。
【００１８】
図２は、本発明の観点を組み込んでよい電子デバイスの一実施形態を示すシステムブロック図である。この代表的な実施形態では、電子デバイスは、ＡＲＭやＰｅｎｔｉｕｍ（登録商標）、Ｐｅｎｔｉｕｍ ＩＩ（登録商標）、Ｐｅｎｔｉｕｍ ＩＩＩ（登録商標）、Ｐｅｎｔｉｕｍ ＩＶ（登録商標）、Ｐｅｎｔｉｕｍ（登録商標） Ｐｒｏ、８０５１、ＭＩＰＳ（登録商標）、Ｐｏｗｅｒ ＰＣ（登録商標）、ＡＬＰＨＡ（登録商標）などの任意の汎用シングルまたはマルチチップマイクロプロセッサー、またはデジタルシグナルプロセッサーやマイクロコントローラー、プログラマブルゲートアレイなどの任意の専用マイクロプロセッサーであってもよいプロセッサー２１を含んでいる。この分野で一般に行なわれているように、プロセッサー２１は一つ以上のソフトウェアモジュールを実行するように構成されうる。オペレーティングシステムを実行することに加えて、プロセッサーは、ウェブブラウザや電話アプリケーション、電子メールプログラム、ほかのソフトウェアアプリケーションを含め、一つ以上のソフトウェアアプリケーションを実行するように構成されてもよい。
【００１９】
一実施形態では、プロセッサー２１もアレイドライバー２２と通信するように構成されている。一実施形態では、アレイドライバー２２は、ディスプレイアレイすなわちパネル３０に信号を供給する行ドライバー回路２４と列ドライバー回路２６を含んでいる。図１に示したアレイの断面は図２の１−１線によって示されている。ＭＥＭＳ光干渉変調器については、行／列動作プロトコルは、図３に示したデバイスのヒステリシス特性を利用してよい。可動層を弛緩状態から動作状態まで変形させるにはたとえば１０ボルトの電位差を必要としてよい。しかしながら、電圧がその値から低下するとき、電圧が１０ボルト未満に降下する際、可動層はその状態を維持する。図３の代表的な実施形態では、電圧が２ボルト未満の降下するまで可動層は完全に弛緩しない。したがって、デバイスが弛緩または動作状態で安定している印加電圧の窓が存在する電圧の範囲（図３に示した例では約３〜７Ｖ）がある。ここでは、これを「ヒステリシス窓」または「安定窓」と呼ぶ。図３のヒステリシス特性を有するディスプレイアレイは、行ストロービングのあいだ、ストローブされた行中の動作されるべき画素が約１０ボルトの電圧差にさらされ、弛緩されるべき画素が０ボルト近くの電圧差にさらされるように、行／列動作プロトコルを設計することが可能である。ストローブの後、画素は、行ストローブによっておかれた状態のままであるように、約５ボルトの定常状態電圧差にさらされる。書き込み後、各画素は、この例の３−７ボルトの「安定窓」内の電位差にある。この特徴は、図１に示した画素設計を同じ印加電圧状態の下で動作または弛緩の事前状態のいずれかに安定にする。光干渉変調器の各画素は、動作状態であれ弛緩状態であれ、実質的に固定反射層と可動反射層によって形成されるコンデンサーであるので、この安定状態は、ほとんど消費電力を伴わないヒステリシス窓内の電圧で保持することができる。印加電位が固定されていれば、実質的に電流は画素に流れ込まない。
【００２０】
代表的アプリケーションでは、表示フレームは、第一行中の動作画素の所望のセットにしたがって列電極のセットをアサートすることにより作成してよい。次に行パルスを行１電極に印加し、アサートされた列線に対応する画素を動作させる。次に列電極のアサートされたセットを変更し、第二行中の動作画素の所望のセットに対応させる。次にパルスを行２電極に印加し、行２中の適当な画素をアサートされた列電極にしたがって動作させる。行１画素は行２パルスに影響されず、行１パルスのあいだに設定された状態のままである。これを一連の行の完全にわたり順次に繰り返してフレームを生成してよい。一般に、フレームは、毎秒所望のフレーム数でこのプロセスを絶えず繰り返すことにより、新しい表示データでリフレッシュおよび／またはアップデートされる。表示フレームを生成するために画素アレイの行電極と列電極を駆動するための種々いろいろなプロトコルもまた周知であり、これは本発明と共に使用してよい。
【００２１】
図４と５Ａと５Ｂは、図２の３×３アレイに表示フレームを生成するための一つの可能な動作プロトコルを示している。図４は、図３のヒステリシス曲線を示す画素に使用してよい列と行の電圧レベルの可能なセットを示している。図４の実施形態において、画素を動作させることは、適切な列を−Ｖｂｉａｓに、適切な行を＋ΔＶにセットすることを含んでおり、それらは、それぞれ、−５ボルトと＋５ボルトに一致していてもよい、
画素を弛緩させることは、適切な列を＋Ｖｂｉａｓに、適切な行を同じ＋ΔＶにセットして、画素を横切ってゼロボルト電位差を生成することより実施する。行電圧がゼロボルトに保持される行では、画素は、列が＋Ｖｂｉａｓか−Ｖｂｉａｓかにかかわらず、それらがもとあった状態で安定している。また図４に示すように、上述したほかに逆極性の電圧を使用することができること、たとえば、画素を動作させることが適切な列を＋Ｖｂｉａｓに、適切な行を−ΔＶにセットすることを含みうることもわかるであろう。本実施形態では、画素を解放することは、適切な列を−Ｖｂｉａｓに、適切な行を−ΔＶにセットして、画素を横切ってゼロボルト電位差を生産することにより実施する。
【００２２】
図５Ｂは、図５Ａに示したディスプレイ配列をもたらす図２の３×３アレイに印加する一連の行と列の信号を示しているタイミング図であり、ここで動作画素は非反射である。図５Ａに示したフレームを書き込む前に、画素は任意の状態であってもよく、この例では、すべての行が０ボルト、すべての列が＋５ボルトにある。これらの印加電圧では、すべての画素はそれらの既存の動作状態または弛緩状態で安定している。
【００２３】
図５Ａのフレーム中では、画素（１，１）と（１，２）、（２，２）、（３，２）、（３，３）が動作される。これを実施するため、行１の「線時間」のあいだ、列１と列２は−５ボルトにセットし、列３は＋５ボルトにセットする。これは任意の画素の状態を変更しない。なぜなら、すべての画素は３〜７ボルトの安定窓にあるままであるからである。次に行１を、０から５ボルトまで上がってゼロに戻るパルスでストローブする。これは（１，１）と（１，２）画素を動作させ、（１，３）画素を弛緩させる。アレイ中のほかの画素は影響されない。行２を望むようにセットするため、列２を−５ボルトにセットし、列１と列３を＋５ボルトにセットする。次に行２に印加した同じストローブは、画素（２，２）を動作させ、画素（２，１）と（２，３）を弛緩させる。再び、アレイ中のほかの画素は影響されない。列２と列３を−５ボルトに、列１を＋５ボルトにセットすることにより行３を同様にセットする。行３のストローブは図５Ａに示すように行３の画素をセットする。フレームを書き込んだ後、行電位はゼロになり、列電位は＋５または−５ボルトの一方のままとなることが可能であり、ディスプレイは次に図５Ａの配列で安定する。多数すなわち何百もの行と列に対して同じ手順を使用することが可能であることがわかるであろう。行と列の動作を実施するのに使用される電圧のタイミングとシーケンスとレベルは、上に概説した一般的な原理の範囲内で広く変えることが可能であり、上述の例は代表的なだけであり、任意の動作電圧方法もここに説明したシステムと方法で使用することが可能である。
【００２４】
図６Ａと６Ｂは、ディスプレイデバイス４０の実施形態を示すシステムブロック図である。ディスプレイデバイス４０はたとえば携帯（移動）電話とすることができる。しかしながら、ディスプレイデバイス４０またはそれの少しの変形の同じコンポーネントは、テレビやポータブルメディアプレイヤーなどのさまざまなタイプのディスプレイデバイスの例ともなる。
【００２５】
ディスプレイデバイス４０は、ハウジング４１とディスプレイ３０とアンテナ４３とスピーカー４５と入力デバイス４８とマイクロホン４６とを含んでいる。ハウジング４１は一般に、射出成形と真空成形を含む、当業者に周知ないろいろな製造プロセスのいずれかから形成される。さらに、ハウジング４１は、これらに限定されないが、プラスチックや金属、ガラス、ゴム、陶器、またはそれらの組み合わせを含む、いろいろな物質のいずれかから作られうる。一実施形態では、ハウジング４１は、異なる色のまたは異なるロゴや絵や記号を有しているほかの着脱部と交換されてよい（図示しない）着脱部を含んでいる。
【００２６】
代表的なディスプレイデバイス４０のディスプレイ３０は、ここに説明するように、双安定ディスプレイを含むいろいろなディスプレイのいずれかであってもよい。ほかの実施形態では、ディスプレイ３０は、当業者に周知なように、プラズマやＥＬ、ＯＬＥＤ、ＳＴＮ ＬＣＤ、上述したＴＦＴ ＬＣＤなどのフラットパネルディスプレイ、またはＣＲＴやほかのチューブデバイスなどの非フラットパネルディスプレイを含んでいる。しかしながら、本実施形態を説明する目的のため、ディスプレイ３０は、ここに説明するように、光干渉変調器ディスプレイを含んでいる。
【００２７】
代表的なディスプレイデバイス４０の一実施形態のコンポーネントを図６Ｂに概略的に示す。図示の代表的なディスプレイデバイス４０はハウジング４１を含んでおり、その中に少なくとも部分的に囲まれた追加コンポーネントを含むことができる。たとえば、一実施形態では、代表的なディスプレイデバイス４０は、トランシーバー４７に接続されるアンテナ４３を含むネットワークインターフェース２７を含んでいる。トランシーバー４７はプロセッサー２１に連結されており、それはコンディショニングハードウェア５２に連結されている。コンディショニングハードウェア５２は信号を整える（たとえば信号をフィルター処理する）ように構成されうる。コンディショニングハードウェア５２はスピーカー４５とマイクロホン４６に連結されている。プロセッサー２１も入力デバイス４８とドライバーコントローラー２９に連結されている。ドライバーコントローラー２９はフレームバッファ２８とアレイドライバー２２に接続され、これはさらにディスプレイアレイ３０に接続されている。電源５０は、特定の代表的なディスプレイデバイス４０設計によって必要とされるすべてのコンポーネントにパワーを供給する。
【００２８】
ネットワークインターフェース２７は、代表的なディスプレイデバイス４０がネットワーク上の一つ以上のデバイスと通信できるように、アンテナ４３とトランシーバー４７を含んでいる。一実施形態では、ネットワークインターフェース２７はまたいくつかの処理容量を有し、プロセッサー２１の要件を取り除いてもよい。アンテナ４３は、信号の送受信用の当業者に周知の任意のアンテナである。一実施形態では、アンテナは、ＩＥＥＥ ８０２．１１規格によりＩＥＥＥ ８０２．１１（ａ）や（ｂ）や（ｇ）を含むＲＦ信号を送受信する。別の実施形態では、アンテナはＢＬＵＥＴＯＯＴＨ（登録商標）規格によりＲＦ信号を送受信する。携帯電話の場合、アンテナは、無線セル電話ネットワーク内で通信するために使用されるＣＤＭＡやＧＳＭ、ＡＭＰＳ、ほかの既知信号を受信するように設計されている。トランシーバー４７はアンテナ４３から受信した信号を、それらがプロセッサー２１によって受信されさらに操作されうるように前処理する。トランシーバー４７はまたプロセッサー２１から受信した信号を、それらがアンテナ４３を介して代表的なディスプレイデバイス４０から送信されうるように処理する。
【００２９】
代替実施形態では、トランシーバー４７はレシーバーと交換することが可能である。また別の代替実施形態では、ネットワークインターフェース２７は像源と取り替えることが可能であり、像源はプロセッサー２１に送る画像データを記憶または生成することができる。たとえば、像源は、画像データを収容したデジタルビデオディスク（ＤＶＤ）やハードディスクドライブ、または画像データを生成するソフトウェアモジュールとすることができる。
【００３０】
プロセッサー２１は一般に、代表的なディスプレイデバイス４０の動作全体を制御する。プロセッサー２１は、ネットワークインターフェース２７や像源からの圧縮画像データなどのデータを受信し、そのデータを行画像データに、または行画像データへ容易に処理されるフォーマットに処理する。次にプロセッサー２１は処理したデータを記憶のためにドライバーコントローラー２９またはフレームバッファ２８へ送る。生データは、典型的には画像内の各場所における画像特性を識別する情報を指す。たとえば、そのような画像特性は、色と彩度とグレースケールレベルを含みうる。
【００３１】
一実施形態では、プロセッサー２１は、マイクロコントローラーまたはＣＰＵ、論理演算装置を含み、代表的なディスプレイデバイス４０の動作を制御する。コンディショニングハードウェア５２は、スピーカー４５に信号を送信するために、またマイクロホン４６から信号を受信するために、一般に増幅器とフィルターを含んでいる。コンディショニングハードウェア５２は代表的なディスプレイデバイス４０内のディスクリートコンポーネントであってもよく、またはプロセッサー２１やほかのコンポーネント内に組み込まれていてもよい。
【００３２】
ドライバーコントローラー２９は、プロセッサー２１によって生成された行画像データをプロセッサー２１から直接またはフレームバッファ２８からとり、アレイドライバー２２への高速伝送に適切な行画像データに再フォーマットする。具体的には、ドライバーコントローラー２９は行画像データを、ラスター状フォーマットを有するデータ流れに再フォーマットし、それは、ディスプレイアレイ３０を横切って走査するのに適した時間順序を有している。次にドライバーコントローラー２９はフォーマットした情報をアレイドライバー２２に送る。ＬＣＤコントローラーなどのドライバーコントローラー２９はしばしばスタンドアロンの集積回路（ＩＣ）としてシステムプロセッサー２１に付随されるが、そのようなコントローラーは多くの手法によって実現されてよい。それらはハードウェアとしてプロセッサー２１に埋め込まれても、ソフトとしてプロセッサー２１に埋め込まれても、アレイドライバー２２にハードウェアに完全に集積されてもよい。
【００３３】
典型的には、アレイドライバー２２はドライバーコントローラー２９からフォーマットされた情報を受信し、ビデオデータを、ディスプレイのｘ−ｙマトリックスの画素から来る何百もの時には何千ものリードに毎秒何度も印加される波形の並列セットに再フォーマットする。
【００３４】
一実施形態では、ドライバーコントローラー２９とアレイドライバー２２とディスプレイアレイ３０は、ここに説明したディスプレイのどのタイプにも適切である。たとえば、一実施形態では、ドライバーコントローラー２９は、従来のディスプレイコントローラーや双安定ディスプレイコントローラー（たとえば光干渉変調器コントローラー）である。別の実施形態では、アレイドライバー２２は、従来のドライバーや双安定ディスプレイドライバー（たとえば光干渉変調器ディスプレイ）である。一実施形態では、ドライバーコントローラー２９はアレイドライバー２２に集積されている。そのような実施形態は、携帯電話、時計、ほかの小面積ディスプレイなどの高集積システムに共通している。また別の実施形態では、ディスプレイアレイ３０は、典型的なディスプレイアレイや双安定ディスプレイアレイ（たとえば光干渉変調器のアレイを含むディスプレイ）である。
【００３５】
入力デバイス４８は、ユーザーが代表的なディスプレイデバイス４０の動作を制御するのを可能にする。一実施形態では、入力デバイス４８は、ＱＷＥＲＴＹキーボードや電話キーパッドなどのキーパッドや、ボタン、スイッチ、タッチセンシティブスクリーン、感圧または感熱膜を含んでいる。一実施形態では、マイクロホン４６は代表的なディスプレイデバイス４０用の入力デバイスである。マイクロホン４６を使用してデバイスにデータを入力するとき、代表的なディスプレイデバイス４０の動作を制御するためにユーザーがボイスコマンドを与えてもよい。
【００３６】
この分野で周知なように、電源５０はいろいろなエネルギー蓄積装置を含みうる。たとえば、一実施形態では、電源５０は、ニッケル−カドミウム電池やリチウムイオン電池などの充電式電池である。別の実施形態では、電源５０は、再生可能エネルギー源とコンデンサー、プラスチック太陽電池と太陽電池ペイントを含む太陽電池である。別の実施形態では、電源５０は壁付コンセントからパワーを受け取るように構成される。
【００３７】
いくつかの実施においては、上述したように、電子ディスプレイシステムのいくつかの場所に配置することが可能であるドライバーコントローラーに、制御プログラム化が存在する。いくつかのケースでは、制御プログラム化はアレイドライバー２２に存在する。たくさんのハードウェアおよび／またはソフトウェアコンポーネントおよびさまざまな構成に対して上述した最適化が実現されてよいことは当業者であればわかるであろう。
【００３８】
上述した原理にしたがって動作する光干渉変調器の構造の詳細は広く変更されてよい。たとえば、図７Ａ〜７Ｅは、可動反射層１４をその支持構造の５つの異なる実施形態を示している。図７Ａは図１の実施形態の断面図であり、金属物質１４のストリップが直交して延びている支持体１８上に堆積されている。図７Ｂでは、可動反射層１４がつなぎ３２によってコーナーだけで支持体に取り付けられている。図７Ｃでは、可動反射層１４が変形可能層３４からつるされており、変形可能層３４は可撓性金属で構成されうる。変形可能層３４は、直接または間接的に、変形可能層３４の周囲の周りの基板２０に連結している。これらの接続はここでは支持ポストと呼ぶ。図７Ｄに示した実施形態は、その上に変形可能層３４が横たわる支持ポストプラグ４２を有している。図７Ａ〜７Ｃのように、可動反射層１４はキャビティの上につるされるが、変形可能層３４は、変形可能層３４と光学スタック１６の間の穴を満たすことにより、支持ポストを形成しない。むしろ、支持ポスト１８は平坦化物質で作られ、それは支持ポストプラグ４２を形成するために使用される。図７Ｅに示す実施形態は、図７Ｄに示した実施形態に基づくが、図示しない追加の実施形態と同様に、図７Ａ〜７Ｃに示した実施形態のいずれに適用してもよい。図７Ｅに示した実施形態では、金属またはほかの伝導物質の追加層がバス構造４４を形成するために使用された。これは信号を光干渉変調器の背面に沿って転送するのを可能にし、さもなければ基板２０上に形成されなければならないであろう多くの電極を取り除く。
【００３９】
図７に示した実施形態では、光干渉変調器は直視型デバイスとして機能し、画像は透明基板２０の正面側つまり変調器が配置される側の反対側から見られる。これらの実施形態では、変形可能層３４を含め、反射層１４は、基板２０に対向する反射層の側にある光干渉変調器の部分を光学的に遮へいする。これは、遮へい領域が像品質に悪影響を与えずに構成され動作されることを可能にする。そのような遮へいは、図７Ｅのバス構造４４を可能にし、それは、アドレシングおよびそのアドレシングに起因する動作など、変調器の電気機械の特性から変調器の光学的性質を分離する能力を提供する。この分離可能な変調器アーキテクチャは、変調器の電気機械的観点と光学的観点のために使用される構造設計と物質が互い独立に選択され機能することを可能にする。さらに、図７Ｃ〜７Ｅに示した実施形態は、機械的特性からの反射層１４の光学的特性の非干渉を得るという追加の利点を有し、それは変形可能層３４によって実現される。これは、反射層１４に使用する構造設計と物質を光学的特性に対して最適化し、また変形可能層３４に使用する構造設計と物質を所望の機械的特性に対して最適化すること可能にする。
【００４０】
いくつかの変更をくわえることで、光干渉変調器の基本構造はＭＥＭＳスイッチとして使用することができる。光干渉変調器と同じ基本構造から作られたＭＥＭＳスイッチは、光干渉変調器アレイを備えたロジックおよびスイッチ機能の集積化を容易にする。光干渉素子の製造に似ていない手法で製造されたスイッチや、ガラス基板に堆積されたシリコン薄膜を使用して製造されたさらに従来の電子スイッチなど、ほかのタイプのスイッチが集積されうることが可能である。しかしながら、光干渉変調器ベースＭＥＭＳスイッチの製造は、光干渉変調器を製造するのに使用されるのと同じ多くの処理ステップを使用して行なわれうるので、これらのＭＥＭＳスイッチは、たとえばディスプレイに使用される光干渉変調器のアレイと同じ基板上に低費用で集積されうる。
【００４１】
たとえば、一実施形態では、ＭＥＭＳスイッチと光干渉変調器は同じプロセスを使用して製造されうる。ただし、製造プロセス中に光干渉変調器および／またはＭＥＭＳスイッチに追加ステップが行なわれうる。たとえば、ＭＥＭＳスイッチに端子を追加する堆積とエッチングのステップは光干渉変調器の製造には不必要である。そのような実施形態では、電極などを形成するためのステップなどの、いくつかの共通のステップが行なわれよう。ＭＥＭＳスイッチ端子が次に形成されよう。これらのステップが、光干渉変調器とＭＥＭＳスイッチの両方に必要なより多くのステップに続いた後に、それにより、複合光干渉変調器・ＭＥＭＳスイッチアレイが提供されよう。また別の実施形態では、光干渉変調器を製造するために使用されるのと同じプロセスが、ＭＥＭＳスイッチを製造するのに使用される。光干渉変調器を基板上に最初に製造し、その基板上へのＭＥＭＳスイッチの製造がそれに続いてもよい。同様に、ＭＥＭＳスイッチを基板上に最初に製造し、その基板上への光干渉変調器の製造がそれに続いてもよい。いずれの場合も、ＭＥＭＳスイッチが光干渉変調器と同じ多くの構造を備えているので、製造プロセスは大きな変更を必要としない。
【００４２】
一実施形態では、これらのＭＥＭＳスイッチ群を使用して論理ブロックを形成することができ、それらは任意の目的に使用されうる。ＭＥＭＳスイッチを備えているこれらの論理ブロックは一緒に配置されて、外部付加コンポーネントに一般的に見られる論理的および電気的な機能を提供し、それによりコンポーネントのコストを節約しうる。たとえば、ＭＥＭＳスイッチは、たとえば、低漏れトランジスター、シフトレジスター、デマルチプレクサーの容量など、さまざまな方法への使用のために配置されてもよい。光干渉変調器のコンテキストでは、上記のＭＥＭＳスイッチは、たとえば、行ドライバーまたは列ドライバーとともに使用されうる。好都合なことに、上に説明したＭＥＭＳスイッチは、ガラスやガラスウェハー、シリコンウェハー、プラスチック基板などのさまざまな基板上に製造されうる。
【００４３】
図８ＡはＭＥＭＳスイッチ７００の断面側面図である。図８ＡのＭＥＭＳスイッチ７００は、図７Ａの光干渉変調器と同様のつぶれうるキャビティ特徴を有する。ＭＥＭＳスイッチ７００は、二つの端子７０６と、絶縁層７１０と、伝導性ストリップ７０８とをさらに含んでいる。ＭＥＭＳスイッチ７００は、二つの端子７０６の間に選択的な電気的接触を提供する構造体である。特に、端子７０６が電気的接触にあるときにＭＥＭＳスイッチ７００は閉鎖と見なされ、端子７０６が電気的接触にないときにＭＥＭＳスイッチは開放と見なされる。機械的弛緩状態では、端子７０６は電気的接触になく、したがってＭＥＭＳスイッチ７００は開放である。図８Ａに示されるように、ＭＥＭＳスイッチ７００は、可動物質７１４と、伝導性ストリップ７０８と、可動物質７１４と伝導性ストリップ７０８との間の絶縁層７１０とを備えている。基板７２０は、電極７０２と、電極７０２上の絶縁層７０４とを支持している。二つの端子７０６は、ある距離だけ離れて、絶縁層７０４の上におよび／またはそれを通って堆積されている。端子７０６は、絶縁層７０４および／または電極７０２を介してｖｉａｓを使用する他のほかの回路類に連結しうる。絶縁層７０４と可動物質７１４は、キャビティ７０７を規定するため、支持体７１８によって機械的に分離されている。光干渉変調器に関して上述したように、可動物質７１４は変形可能であり、可動物質７１４と電極７０２の間に電圧差が印加されたときに可動物質７１４が基板７２０に向かって変形されうる。これは、図７Ａの反射物質１４と基板２０と電極１６に類似し、また図１の反射層１４ａと１４ｂと透明基材２０と反射層１６ａと１６ｂに類似している。可動物質７１４はその上に絶縁体７１０を有していてよく、それはその上に伝導性ストリップ７０８を有している。伝導性ストリップ７０８は、上述したように印加電位差によって可動物質７１４が基板７２０に向かってたわんだときに、伝導性ストリップ７０８が端子７０６の両方に接触して、端子７０６が電気的接触にあるようにするとともにＭＥＭＳスイッチ７００が閉鎖となるようにするように整列されている。この実施形態では、端子７０６と可動物質７１４の間の接触が可動物質７１４と電極７０２の間に印加された電圧差を邪魔しないように、伝導性ストリップ７０８は絶縁体７１０によって可動物質７１４から電気的に分離されている。いくつかの実施形態では、そのような分離は必要でなく、伝導性ストリップ７０８と絶縁体７１０は必要ではなく、可動物質７１４それ自体が二つの端子７０６をつなぐ伝導体として機能することができる。可動物質７１４と電極７０２の間に印加された電圧が（上述した）あるレベル以下に低下したとき、可動物質７１４は機械的弛緩状態に戻り、ＭＥＭＳスイッチ７００は開放になる。
【００４４】
図８ＢはＭＥＭＳスイッチ７００の平面図である。支持体７１８と伝導性ストリップ７０８と端子７０６が可動物質７１４を通して見たように示されている。伝導性ストリップ７０８は可動物質７１４よりも非常に小さくてよい。これは、可動物質７１４と電極７０２の間の起電力が伝導性ストリップ７０８と電極７０２の間の起電力より大きいことを確実にするためである。なぜなら、いったんストリップが電極に接触すれば、ストリップ上のポテンシャルが可動物質上のポテンシャルと異なりうるからである。
【００４５】
図９は、別の実施形態のＭＥＭＳスイッチ８００の断面側面図である。ＭＥＭＳスイッチ８００は、図７Ｃの光干渉変調器と同様の構造的特徴を有している。それはまた、図８ＡのＭＥＭＳスイッチ７００と同様のＭＥＭＳスイッチ機能および特徴を有している。
【００４６】
図１０は、以下に詳しく説明する「ラッチ」電極７３０ａ，７３０ｂの基板上への追加を除いて、図８のスイッチと同様の別のＭＥＭＳスイッチの断面側面図である。図１０には、可動物質７１４が下方に変形して端子７０６にくっついた動作位置にあるスイッチが示されている。
【００４７】
動作では、比較的低い電圧が最初に電極７３０ａ，７３０ｂに印加され、電極７３０ａ，７３０ｂと可動物質７１４との間に電圧差を作り出す。この設計の有利な実施形態では、この電圧差は、可動物質７１４を弛緩状態から動作状態へ変形させるに十分な大きさではないが、いったん可動物質が動作状態におかれたならば、それをその状態に維持するのに十分である。続いて、可動物質が電極７０２に向かってつぶれるようにするには十分な大きさである電圧差を可動物質７１４と電極７０２との間に作り出す電極７０２に電圧が印加される。この印加電圧によってデバイスが動作された後、電極７０２上の電圧が除去されうる。可動物質７１４と電極７３０ａ，７３０ｂの接近のため、たとえ、ラッチ電極７３０ａ，７３０ｂに印加された電圧が完全弛緩初期状態からデバイスを動作させるほど十分に高くなくても、続いて可動物質７１４は、電極７３０ａ，７３０ｂと可動物質７１４との間の電圧差によってつぶれた位置に維持されうる。一実施形態では、電極７３０ａ，７３０ｂに印加される電圧は１〜１０ボルトの範囲にあり、一方、電極７０２に印加される電圧は５〜１５ボルトの範囲にある。セット電圧の後にラッチ電圧を印加することもできることがわかるであろう。図１０に示されたさまざまな要素の位置を広く変えることもできることもわかるであろう。たとえば、支持ポストとラッチ電極の間にスイッチ端子７０６を配置することもできる。ラッチ電極は、支持ポストに向かっておよび／またはその下方にさらに延びていてもよい。さらに、一つだけのまたは二つよりも多くのラッチ電極を設けることもできる。重要な特徴は、ラッチ機能を提供する位置にラッチ電極が配置されるということである。図１０の、実施形態では、可動物質が角を形成し基板に最初に接触する点の下に配置されたラッチ電極の少なくとも一部を有することが有利である。
【００４８】
図１１は、このスイッチ実施形態の模式／ブロック図を示している。ＳＥＴ信号が電極７０２に印加され、ＬＡＴＣＨ信号が電極７３０Ａと７３０ｂに印加される。ＬＡＴＣＨ信号はＳＥＴ信号より低電圧であってよい。いったんＬＡＴＣＨがアサートされれば、ＳＥＴ信号をアサートしてスイッチを閉じることができる。ＳＥＴ信号をデアサートすることは、ＬＡＴＣＨ信号がまた除去されない限り、デバイスを弛緩させず、スイッチを開放にしない。この設計では、共通のＬＡＴＣＨ信号をアサートするとともに個々の中央電極に送られるＳＥＴ信号の定められた一群を使用することによって望まれ、その後にスイッチ状態を変えない範囲においてＳＥＴ信号を任意の値にすることができるようにスイッチの一群を構成することができる。すべてのＳＥＴおよびＬＡＴＣＨ信号をデアサートすることによって、群全体を同時にクリアすることができる。
【００４９】
上記の詳細な説明は、さまざまな実施形態に適用されるような新規な特徴を示し説明し指摘しているが、例示したデバイスまたはプロセスの形と詳細に対するさまざまな省略と置換と変更が本発明の要旨から逸脱しない範囲において当業者によってなされてもよいことが理解されるであろう。認められるように、ここに述べた特徴と利点のすべてを提供しないが、いくつかの特徴がほかから分けて使用または実行されうる形で本発明が具体化されてもよい。
【図面の簡単な説明】
【００５０】
【図１】第一の光干渉変調器の可動反射層が弛緩位置にあり、第二の光干渉変調器の可動反射層が動作位置にある光干渉変調器ディスプレイの一実施形態の一部を描く等角投影図である。
【図２】３×３光干渉変調器ディスプレイを組み込んだ電子デバイスの一実施形態を示すシステムブロック図である。
【図３】図１の光干渉変調器の一つの代表的な実施形態における可動ミラー位置対印加電圧の図である。
【図４】光干渉変調器ディスプレイを駆動するのに使用しうる１セットの行および列電圧を示している。
【図５Ａ】図２の３×３光干渉変調器ディスプレイにフレーム表示データを書くために使用されうる行列信号のための一つの代表的なタイミング図を示している。
【図５Ｂ】図２の３×３光干渉変調器ディスプレイにフレーム表示データを書くために使用されうる行列信号のための一つの代表的なタイミング図を示している。
【図６Ａ】複数の光干渉変調器からなる視覚ディスプレイデバイスの実施形態を示すシステムブロック図である。
【図６Ｂ】複数の光干渉変調器からなる視覚ディスプレイデバイスの実施形態を示すシステムブロック図である。
【図７Ａ】図１のデバイスの断面図である。
【図７Ｂ】光干渉変調器の代替実施形態の断面図である。
【図７Ｃ】光干渉変調器の別の代替実施形態の断面図である。
【図７Ｄ】光干渉変調器のまた別の代替実施形態の断面図である。
【図７Ｅ】光干渉変調器の追加の代替実施形態の断面図である。
【図８Ａ】ＭＥＭＳスイッチ実施形態の断面である。
【図８Ｂ】図８Ａのスイッチ実施形態の平面図である。
【図９】別のＭＥＭＳスイッチ実施形態の断面である。
【図１０】別のＭＥＭＳスイッチ実施形態の断面である。
【図１１】図１０のスイッチ実施形態の模式／ブロック図である。
【図１】
2009516350.tif 000003
【図２】
2009516350.tif 000004
【図３】
2009516350.tif 000005
【図４】
2009516350.tif 000006
【図５Ａ】
2009516350.tif 000007
【図５Ｂ】
2009516350.tif 000008
【図６Ａ】
2009516350.tif 000009
【図６Ｂ】
2009516350.tif 000010
【図７Ａ】
2009516350.tif 000011
【図７Ｂ】
2009516350.tif 000012
【図７Ｃ】
2009516350.tif 000013
【図７Ｄ】
2009516350.tif 000014
【図７Ｅ】
2009516350.tif 000015
【図８Ａ】
2009516350.tif 000016
【図８Ｂ】
2009516350.tif 000017
【図９】
2009516350.tif 000018
【図１０】
2009516350.tif 000019
【図１１】
2009516350.tif 000020
【手続補正書】
【提出日】平成20年8月22日(2008.8.22)
【手続補正１】
【補正対象書類名】特許請求の範囲
【補正対象項目名】全文
【補正方法】変更
【補正の内容】
【特許請求の範囲】
【請求項１】
可動電極と、
可動電極の位置に応じて選択可能に連結可能である少なくとも二つのスイッチ端子と、
そのおのおのが可動電極の一つ以上の周辺部分の近傍に配置された第一および第二のラッチ電極と、
可動電極の中央部分の近傍に配置されたセット電極と、
前記可動電極と前記セット電極との間の静電引力に基づく動作位置に前記可動電極を動作させるように構成され、前記可動電極と第一および第二のラッチ電極との間の静電引力に基づくほぼ動作位置に前記可動電極を維持するように構成されたドライバー回路とを備えているＭＥＭＳデバイス。
【請求項２】
前記セット電極が前記第一および第二のラッチ電極間の中央領域にある、請求項１のＭＥＭＳデバイス。
【請求項３】
前記セット電極が前記デバイスの中央領域にあり、第一および第二のラッチ電極がセット電極から電気的に分離されている請求項１のＭＥＭＳデバイス。
【請求項４】
前記スイッチ端子が前記基板によって支持されている、請求項１のＭＥＭＳデバイス。
【請求項５】
前記可動電極が前記基板の近傍に配置されるときに前記スイッチ端子が連結される、請求項４のＭＥＭＳデバイス。
【請求項６】
可動電極と、
可動電極の位置に応じて選択可能に連結可能である少なくとも二つのスイッチ端子と、
そのおのおのが可動電極の一つ以上の周辺部分の近傍に配置された第一および第二のラッチ電極と、
可動電極の中央部分の近傍に配置されたセット電極と、
前記可動電極と前記セット電極との間の静電引力に基づく動作位置に前記可動電極を動作させるように構成され、前記可動電極と第一および第二のラッチ電極との間の静電引力に基づくほぼ動作位置に前記可動電極を維持するように構成されたドライバー回路とを備えているディスプレーシステム。
【請求項７】
前記アレイに接続されたドライバー回路をさらに備えている請求項６のディスプレーシステム。
【請求項８】
前記ディスプレイと電気的通信状態にあるプロセッサーで、画像データを処理するように構成された前記プロセッサーと、
前記プロセッサーと電気的通信状態にあるメモリーデバイスとをさらに備えている請求項６のディスプレーシステム。
【請求項９】
前記ドライバー回路が前記ディスプレイに少なくとも一つの信号を送るように構成されている、請求項８のデバイス。
【請求項１０】
前記ドライバー回路に前記画像データの少なくとも一部を送るように構成されたコントローラーをさらに備えている請求項９のデバイス。
【請求項１１】
前記プロセッサーに前記画像データを送るように構成された像源モジュールをさらに備えている請求項１０のデバイス：。
【請求項１２】
前記像源モジュールが、レシーバーとトランシーバーとトランスミッターの少なくとも一つを備えている、請求項１１のデバイス。
【請求項１３】
入力データを受け取り前記プロセッサーに前記入力データを通信するように構成された入力装置をさらに備えている請求項１２のデバイス。
【請求項１４】
セット電極と可動素子との間に第一の電圧を印加することにより第一の位置から第二の位置に可動素子を移動させることによりスイッチ動作を制御することを備え、第一の電圧が、セット電極と可動素子の中央部分との間に静電引力を確立し、
可動素子と第一および第二のラッチ電極との間に第二の電圧を印加することにより前記可動素子を前記第二の位置に維持することを備え、第二の電圧が、第一および第二のラッチ電極のおのおのと可動素子の第一および第二の周辺部分とのそれぞれの間に静電引力を確立する、ＭＥＭＳスイッチを動作する方法。
【請求項１５】
第二の電圧が前記第一の電圧より小さい、請求項１４の方法。
【請求項１６】
第一と第二の位置の間で移動可能な第一の電極と、
前記第一の電極の位置に基づいて選択可能に連結可能なスイッチ端子と、
前記可動電極を前記第一位置から前記第二位置に移動させるように可動素子の中央部分に静電力を確立するための手段と、
前記可動電極を前記第二位置に維持するように可動素子の周辺部分に静電力を確立するための手段とを備え、前記周辺部分に静電力を確立するための手段が前記中央部分に静電力を確立するための手段からから別々に制御可能である、ＭＥＭＳスイッチ。
【請求項１７】
前記中央部分に静電力を確立するための手段が第一の電極を備えている、請求項１６のＭＥＭＳスイッチ。
【請求項１８】
前記周辺部分に静電力を確立するための手段が第二の電極を備えている、請求項１６のＭＥＭＳスイッチ。
【請求項１９】
可動電極を形成することと、
可動電極の位置に応じて選択的に接続される第一および第二スイッチ端子を形成することと、
前記可動電極の近傍に第一および第二のラッチ電極を形成することと、
第一および第二のラッチ電極の間に前記可動膜の中央部分の近傍にセット電極を形成することと、
可動電極と第一および第二のラッチ電極とセット電極とにドライバー回路を接続することとを備えており、前記ドライバー回路が、前記可動電極と前記セット電極との間の静電引力に基づく動作位置に前記可動電極を動作させるように構成され、前記可動電極と第一および第二のラッチ電極との間の静電引力に基づくほぼ動作位置に前記可動電極を維持するように構成されている、ＭＥＭＳスイッチを作る方法。
【請求項２０】
前記セット電極を前記ＭＥＭＳスイッチの中央領域に形成することを備えている請求項１９の方法。
【請求項２１】
前記中央領域と記ＭＥＭＳスイッチの周囲領域との間に少なくとも一つのラッチ電極を形成することを備え、前記少なくとも一つのラッチ電極が前記第一の電極から電気的に分離されている、請求項２０の方法。
【手続補正書】
【提出日】平成20年9月3日(2008.9.3)
【手続補正１】
【補正対象書類名】特許請求の範囲
【補正対象項目名】全文
【補正方法】変更
【補正の内容】
【特許請求の範囲】
【請求項１】
可動電極と、
可動電極の位置に応じて選択可能に連結可能である少なくとも二つのスイッチ端子と、
そのおのおのが可動電極の一つ以上の周辺部分の近傍に配置された第一および第二のラッチ電極と、
可動電極の中央部分の近傍に配置されたセット電極と、
前記可動電極と前記セット電極との間の静電引力に基づく動作位置に前記可動電極を動作させるように構成され、前記可動電極と第一および第二のラッチ電極との間の静電引力に基づくほぼ動作位置に前記可動電極を維持するように構成されたドライバー回路とを備えているＭＥＭＳデバイス。
【請求項２】
前記セット電極が前記第一および第二のラッチ電極間の中央領域にある、請求項１のＭＥＭＳデバイス。
【請求項３】
前記セット電極が前記デバイスの中央領域にあり、第一および第二のラッチ電極がセット電極から電気的に分離されている請求項１のＭＥＭＳデバイス。
【請求項４】
前記スイッチ端子が前記基板によって支持されている、請求項１のＭＥＭＳデバイス。
【請求項５】
前記可動電極が前記基板の近傍に配置されるときに前記スイッチ端子が連結される、請求項４のＭＥＭＳデバイス。
【請求項６】
可動電極と、
可動電極の位置に応じて選択可能に連結可能である少なくとも二つのスイッチ端子と、
そのおのおのが可動電極の一つ以上の周辺部分の近傍に配置された第一および第二のラッチ電極と、
可動電極の中央部分の近傍に配置されたセット電極と、
前記可動電極と前記セット電極との間の静電引力に基づく動作位置に前記可動電極を動作させるように構成され、前記可動電極と第一および第二のラッチ電極との間の静電引力に基づくほぼ動作位置に前記可動電極を維持するように構成されたドライバー回路とを備えているディスプレイシステム。
【請求項７】
前記アレイに接続されたドライバー回路をさらに備えている請求項６のディスプレイシステム。
【請求項８】
前記ディスプレイと電気的通信状態にあるプロセッサーで、画像データを処理するように構成された前記プロセッサーと、
前記プロセッサーと電気的通信状態にあるメモリーデバイスとをさらに備えている請求項６のディスプレイシステム。
【請求項９】
前記ドライバー回路が前記ディスプレイに少なくとも一つの信号を送るように構成されている、請求項８のディスプレイシステム。
【請求項１０】
前記ドライバー回路に前記画像データの少なくとも一部を送るように構成されたコントローラーをさらに備えている請求項９のディスプレイシステム。
【請求項１１】
前記プロセッサーに前記画像データを送るように構成された像源モジュールをさらに備えている請求項１０のディスプレイシステム。
【請求項１２】
前記像源モジュールが、レシーバーとトランシーバーとトランスミッターの少なくとも一つを備えている、請求項１１のディスプレイシステム。
【請求項１３】
入力データを受け取り前記プロセッサーに前記入力データを通信するように構成された入力装置をさらに備えている請求項１２のディスプレイシステム。
【請求項１４】
セット電極と可動素子との間に第一の電圧を印加することにより第一の位置から第二の位置に可動素子を移動させることによりスイッチ動作を制御することを備え、第一の電圧が、セット電極と可動素子の中央部分との間に静電引力を確立し、
可動素子と第一および第二のラッチ電極との間に第二の電圧を印加することにより前記可動素子を前記第二の位置に維持することを備え、第二の電圧が、第一および第二のラッチ電極のおのおのと可動素子の第一および第二の周辺部分とのそれぞれの間に静電引力を確立する、ＭＥＭＳスイッチを動作する方法。
【請求項１５】
第二の電圧が前記第一の電圧より小さい、請求項１４の方法。
【請求項１６】
第一と第二の位置の間で移動可能な第一の電極と、
前記第一の電極の位置に基づいて選択可能に連結可能なスイッチ端子と、
前記可動電極を前記第一位置から前記第二位置に移動させるように可動素子の中央部分に静電力を確立するための手段と、
前記可動電極を前記第二位置に維持するように可動素子の周辺部分に静電力を確立するための手段とを備え、前記周辺部分に静電力を確立するための手段が前記中央部分に静電力を確立するための手段からから別々に制御可能である、ＭＥＭＳスイッチ。
【請求項１７】
前記中央部分に静電力を確立するための手段が第一の電極を備えている、請求項１６のＭＥＭＳスイッチ。
【請求項１８】
前記周辺部分に静電力を確立するための手段が第二の電極を備えている、請求項１６のＭＥＭＳスイッチ。
【請求項１９】
可動電極を形成することと、
可動電極の位置に応じて選択的に接続される第一および第二スイッチ端子を形成することと、
前記可動電極の近傍に第一および第二のラッチ電極を形成することと、
第一および第二のラッチ電極の間に前記可動膜の中央部分の近傍にセット電極を形成することと、
可動電極と第一および第二のラッチ電極とセット電極とにドライバー回路を接続することとを備えており、前記ドライバー回路が、前記可動電極と前記セット電極との間の静電引力に基づく動作位置に前記可動電極を動作させるように構成され、前記可動電極と第一および第二のラッチ電極との間の静電引力に基づくほぼ動作位置に前記可動電極を維持するように構成されている、ＭＥＭＳスイッチを作る方法。
【請求項２０】
前記セット電極を前記ＭＥＭＳスイッチの中央領域に形成することを備えている請求項１９の方法。
【請求項２１】
前記中央領域と記ＭＥＭＳスイッチの周囲領域との間に少なくとも一つのラッチ電極を形成することを備え、前記少なくとも一つのラッチ電極が前記第一の電極から電気的に分離されている、請求項２０の方法。
【手続補正２】
【補正対象書類名】明細書
【補正対象項目名】０００９
【補正方法】変更
【補正の内容】
【０００９】
別の実施形態では、ディスプレイシステムは、ＭＥＭＳディスプレイ素子のアレイアレイに接続された一つ以上のＭＥＭＳスイッチを備えている。ＭＥＭＳスイッチの少なくとも一つは、基板と、基板によって支持された少なくとも二つの支持ポストと、前記基板に支持され支持ポスト間に配置された少なくとも二つの電気的分離電極とを備えている。可動電極は支持ポストによって基板の上方に支持されており、また、可動電極の位置に応じて選択可能に連結可能な少なくとも二つのスイッチ端子が設けられている。
【国際調査報告】
2009516350.tif 000021
2009516350.tif 000022
2009516350.tif 000023
2009516350.tif 000024
2009516350.tif 000025